(57)【要約】      （修正有）【課題】シールド性能を向上することができるコネクタ装置を提供する。【解決手段】内部に機器を収容した金属製のケース１１に取り付けられるコネクタ２０を、第１シールドシェル５０および第２シールドシェル６０で覆ってなるコネクタ装置１０であって、前記第１シールドシェル５０と前記第２シールドシェル６０とを接続する接続部を、少なくとも３箇所に設けるとともに、これら複数の接続部を、前記コネクタ２０と相手側コネクタ４０との嵌合方向および嵌合方向と直交方向にずれた位置に配置した。このような構成によれば、従来よりも接続箇所が増え、また、第１シールドシェル５０と第２シールドシェル６０との接続位置のバランスがよいから、シールド性能を向上することができる。【選択図】図１
2010198779.tif 000002
【特許請求の範囲】
【請求項１】
内部に機器を収容した金属製のケースに取り付けられるコネクタを、第１シールドシェルおよび第２シールドシェルで覆ってなるコネクタ装置であって、
前記第１シールドシェルと前記第２シールドシェルとを接続する接続部を、少なくとも３箇所に設けるとともに、これら複数の接続部を、前記コネクタと相手側コネクタとの嵌合方向および嵌合方向と直交方向にずれた位置に配置したコネクタ装置。
【請求項２】
前記接続部は、前記ケースの外面に近接して配置される低位置接続部と、この低位置接続部よりも前記ケースの外面から離れた位置に配置される高位置接続部とを有する請求項１に記載のコネクタ装置。
【請求項３】
前記コネクタは、前記相手側コネクタと嵌合可能なコネクタ嵌合部が、前記ケースの外側に突出して配置されるものであり、
前記第１シールドシェルは、前記ケースの外面に沿って配置されて前記ケースに固定されるケース固定部と、前記ケース固定部から前記コネクタ嵌合部の突出方向に立ち上がる壁部とを有し、
また、前記第２シールドシェルは、前記ケース固定部に重なって配置される脚部と、前記コネクタ嵌合部の前記ケースとは反対側から被さる本体部とを有する請求項１または請求項２に記載のコネクタ装置。
【請求項４】
前記第１シールドシェルの接続部は、前記ケース固定部に設けられた第１低位置接続部と、前記壁部の立ち上がり端に設けられた第１高位置接続部とを有し、
前記第２シールドシェルの接続部は、前記脚部に設けられて前記第１低位置接続部に重なって配置される第２低位置接続部と、前記本体部から側方に張り出して前記第１高位置接続部に重なって配置される第２高位置接続部とを有する請求項３に記載のコネクタ装置。
【請求項５】
前記第１シールドシェルの接続部および前記第２シールドシェルの接続部は、ボルト締め可能なボルト孔を有する請求項１ないし請求項４のいずれか一項に記載のコネクタ装置。
【発明の詳細な説明】
【技術分野】
【０００１】
本発明は、シールド構造を備えたコネクタ装置に関する。
【背景技術】
【０００２】
従来より、高周波ノイズを遮蔽するシールド構造を備えたコネクタ装置として、例えば特許文献１に記載のコネクタ装置が知られている。このコネクタ装置は、内部にモータを収容したケースに取り付けられるコネクタを、金属製のシールドシェルで覆ってなるものである。
【０００３】
シールドシェルは、互いに接続される第１シールドシェルと第２シールドシェルとからなり、第１シールドシェルは、ケースに固定されるとともにコネクタの後方部分（相手側コネクタとの嵌合方向の後方部分）を覆い、第２シールドシェルは、コネクタハウジングの前方部分を覆っている。そして、第２シールドシェルの後端部（第１シールドシェルと重なる部分）には、板バネ状をなす一対の接触片が設けられ、この一対の接触片が第１シールドシェルに接触することにより、第１シールドシェルと第２シールドシェルとが導通状態に接続している。
【特許文献１】特開２００６−１９６１９８公報
【発明の開示】
【発明が解決しようとする課題】
【０００４】
しかしながら、上記のような構成では、第１シールドシェルと第２シールドシェルとが２点で接触するのみであるため、使用目的によってはノイズ除去のためのシールド性能が不足する場合があり、さらなる改良が切望されていた。
【０００５】
本発明は上記のような事情に基づいて完成されたものであって、シールド性能を向上することができるコネクタ装置を提供することを目的とする。
【課題を解決するための手段】
【０００６】
本発明のコネクタ装置は、内部に機器を収容した金属製のケースに取り付けられるコネクタを、第１シールドシェルおよび第２シールドシェルで覆ってなるコネクタ装置であって、前記第１シールドシェルと前記第２シールドシェルとを接続する接続部を、少なくとも３箇所に設けるとともに、これら複数の接続部を、前記コネクタと相手側コネクタとの嵌合方向および嵌合方向と直交方向にずれた位置に配置したものである。このような構成によれば、接続部は少なくとも３箇所にあるから、従来よりも接続箇所が増え、また、複数の接続部がコネクタと相手側コネクタとの嵌合方向および嵌合方向と直交方向にずれた位置に配置されるから、第１シールドシェルと第２シールドシェルとの接続位置のバランスがよく、このためシールド性能を向上することができる。
【０００７】
また、前記接続部は、前記ケースの外面に近接して配置される低位置接続部と、この低位置接続部よりも前記ケースの外面から離れた位置に配置される高位置接続部とを有するものとしてもよい。
【０００８】
また、前記コネクタは、前記相手側コネクタと嵌合可能なコネクタ嵌合部が、前記ケースの外側に突出して配置されるものであり、前記第１シールドシェルは、前記ケースの外面に沿って配置されて前記ケースに固定されるケース固定部と、前記ケース固定部から前記コネクタ嵌合部の突出方向に立ち上がる壁部とを有し、また、前記第２シールドシェルは、前記ケース固定部に重なって配置される脚部と、前記コネクタ嵌合部の前記ケースとは反対側から被さる本体部とを有するものとしてもよい。
【０００９】
また、前記第１シールドシェルの接続部は、前記ケース固定部に設けられた第１低位置接続部と、前記壁部の立ち上がり端に設けられた第１高位置接続部とを有し、前記第２シールドシェルの接続部は、前記脚部に設けられて前記第１低位置接続部に重なって配置される第２低位置接続部と、前記本体部から側方に張り出して前記第１高位置接続部に重なって配置される第２高位置接続部とを有するものとしてもよい。
【００１０】
また、前記第１シールドシェルの接続部および前記第２シールドシェルの接続部は、ボルト締め可能なボルト孔を有するものとしてもよい。このような構成によれば、接続部をボルト締めすることで強固に固定することができるから、第１シールドシェルと第２シールドシェルとの接触状態を確実に保持することができる。
【発明の効果】
【００１１】
本発明によれば、シールド性能を向上することができるコネクタ装置を提供することができる。
【発明を実施するための最良の形態】
【００１２】
以下、本発明を具体化した一実施形態について、図１〜図９を参照しつつ詳細に説明する。
本実施形態におけるコネクタ装置１０は、図示しないモータ（本発明の機器に該当する）を内部に収容した金属製のケース１１に取り付けられるものであり、モータ側に電気的に接続されるとともに、モータに駆動電力を供給する図示しないＥＣＵ側に電気的に接続される。以下、各構成部材において、図１の上側を上方、下側を下方、また機器側コネクタ２０と電源側コネクタ４０との嵌合面側をそれぞれ前方として説明する。
【００１３】
コネクタ装置１０は、ケース１１に取り付けられる機器側コネクタ２０（本発明のコネクタに該当する）を、第１シールドシェル５０および第２シールドシェル６０で覆ってなるものである。
機器側コネクタ２０は、合成樹脂製の機器側コネクタハウジング２１を備えている。機器側コネクタハウジング２１は、横長の略直方体状をなすコネクタ嵌合部２２と、コネクタ嵌合部２２の下端部において両側方および後方へ広がる板状をなすフランジ部２３と、フランジ部２３の下面から下方へ突出する形状をなす機器側突出部２４とを有している。
【００１４】
機器側コネクタハウジング２１は、コネクタ嵌合部２２をケース１１の外側に突出させるとともに機器側突出部２４をケース１１の内側に収容した姿勢でケース１１の取付孔１８に取り付けられる。このとき、フランジ部２３はケース１１の外面に沿って配置される。
【００１５】
コネクタ嵌合部２２は、内部が空洞とされた略箱状をなし、その前側壁には、ＥＣＵ側のワイヤハーネス１４の端末に接続された電源側コネクタ４０（本発明の相手側コネクタに該当する）が前方から嵌合可能な嵌合口２５が開口されている。嵌合口２５は、横長の略長円形状をなして前後方向へ貫通している。
【００１６】
コネクタ嵌合部２２の内部には、３つの電源側載置台２６が横並びに形成され、各電源側載置台２６には電源側ナット２６Ａが収容されている。電源側ナット２６Ａは、軸線を上下方向に向けた姿勢で設置されている。
【００１７】
コネクタ嵌合部２２の上壁のうち電源側載置台２６の真上部分には、上下方向に開口する作業孔２９が形成されている。この作業孔２９は、図４に示すように、横長の略長円形状をなし、この作業孔２９を介して、３つの電源側載置台２６はコネクタ嵌合部２２の上方へ露出されている。なお、作業孔２９にはキャップ３１が取り付けられ、キャップ３１に装着されたシールリング３２が作業孔２９に密着するようになっている。
【００１８】
フランジ部２３の下面（ケース１１の外面と対向して配される面）の周縁部には、その全周にわたって装着壁３３が形成されている（図５参照）。装着壁３３は、機器側突出部２４の周りを取り囲む環状をなしている。
【００１９】
また、フランジ部２３の下面には、シール部材３４が装着されている。シール部材３４はゴム製であって、取付孔１８の全周を囲う大きさのリング状をなし、装着壁３３の外周に沿って配置されている。シール部材３４は、全周にわたって略一定の厚さ寸法とされている。
【００２０】
機器側突出部２４には、３つの機器側載置台２７が横並びに設けられている。３つの機器側載置台２７は、図３に示すように、並列方向の一端側から他端側へ向かってフランジ部２３からの距離が離れるように設けられている。各機器側載置台２７には、それぞれ機器側ナット２７Ａが収容され、各機器側ナット２７Ａは、軸線を前後方向に向けた姿勢で機器側載置台２７に設置されている。
【００２１】
機器側コネクタハウジング２１には、３本の機器側端子２８が保持されている。各機器側端子２８は、各電源側載置台２６からそれぞれ対応する機器側載置台２７へ達するよう屈曲した形状をなし、インサート成形により機器側コネクタハウジング２１に一体化されている。各機器側端子２８の両端部のうち一端部は、電源側載置台２６の上面に沿って配置され、他端部は、機器側載置台２７の後面に沿って配置されている。各機器側端子２８の両端部には、ボルト挿通孔２８Ａがそれぞれ形成され、各ボルト挿通孔２８Ａは、電源側載置台２６および機器側載置台２７に設置された電源側ナット２６Ａおよび機器側ナット２７Ａと同軸をなして配置されている。
【００２２】
電源側コネクタ４０は、ワイヤハーネス１４を構成する電線１３の端末部に固着された電源側端子４２を内部に収容可能な電源側コネクタハウジング４１を有している。電源側コネクタハウジング４１は合成樹脂製であって、電源側端子４２を収容する３つのキャビティ４４が横並びに形成されている。各キャビティ４４には、電源側端子４２に係合してその抜け止めを図るランス４５が設けられている。
【００２３】
電源側コネクタハウジング４１の前端部は、機器側コネクタハウジング２１のコネクタ嵌合部２２に嵌合可能とされ、その外周面には、コネクタ嵌合部２２に密着するシールリング４６が装着されている。
【００２４】
電源側端子４２は前後方向に長い形状をなし、その後端部は電線１３の端末部にそれぞれ圧着され、前端部は、電源側コネクタハウジング４１から前方へ突出している。各電源側端子４２の前端部には、機器側端子２８のボルト挿通孔２８Ａの上側に重なって配されるボルト挿通孔４２Ａが形成されている。なお、電線１３に外嵌されたゴム栓１５により電線１３とキャビティ４４との間がシールされるようになっている。
【００２５】
第１シールドシェル５０はアルミダイキャスト製であって、ケース１１の外面に沿って配置されてケース１１に固定されるケース固定部５１と、ケース固定部５１から上方（コネクタ嵌合部２２の突出方向）に立ち上がる壁部５２とを有している。
【００２６】
ケース固定部５１は、機器側コネクタハウジング２１のフランジ部２３の略全体（フランジ部２３の上面および周面）を覆う形状をなしている。ケース固定部５１の下面には、フランジ部２３を収容可能な収容凹部５３が凹み形成されている。収容凹部５３は、フランジ部２３の外形形状に沿う形状をなし、その凹み寸法は、フランジ部２３が収容されたときにシール部材３４の下面が第１シールドシェル５０の下面よりもわずかに下方に突出する寸法とされている。
【００２７】
収容凹部５３の周縁部には、リブ５４が設けられている。リブ５４は、収容凹部５３の周縁部に沿って連続して延びる形状をなし、収容凹部５３にフランジ部２３が収容されると、フランジ部２３のうちシール部材３４が装着された部分に沿って配される。
【００２８】
ケース固定部５１の角部（ケース１１の図示しないネジ孔と対応する位置）には、ケース固定部５１をケース１１に固定するための固定孔５５が設けられている。第１シールドシェル５０は、固定孔５５をケース１１のネジ孔に重ねてネジ締めされることにより、ケース１１に導通可能に固定される。第１シールドシェル５０をケース１１に固定することで、ケース１１の外面と第１シールドシェル５０との間に機器側コネクタハウジング２１のフランジ部２３が挟み込まれた状態になり、フランジ部２３の下面に装着されたシール部材３４がケース１１の外面に密着して、ケース１１の取付孔１８の周縁部とフランジ部２３との間がシールされる。
【００２９】
壁部５２は、コネクタ嵌合部２２の後方に立ち上がる背後壁５２Ａと、コネクタ嵌合部２２の両側方に立ち上がる一対の側壁５２Ｂ，５２Ｃとを有している。
背後壁５２Ａは、コネクタ嵌合部２２の後面よりも若干大きい横長の略長方形状をなし、コネクタ嵌合部２２の後面の全体を覆っている。背後壁５２Ａは、コネクタ嵌合部２２よりも若干上方に突出する高さ寸法を有している。
【００３０】
一対の側壁５２Ｂ，５２Ｃは、コネクタ嵌合部２２の略後半部分（作業孔２９が設けられている部分）と対向するように設けられている。一対の側壁５２Ｂ，５２Ｃのうち一方（図４では右側）に設けられた第１側壁５２Ｂには、第１側壁５２Ｂから側方に突出するとともにケース固定部５１から上方へ立ち上がる形状をなす柱部５６が設けられている。柱部５６は、第１側壁５２Ｂの前側端に設けられ、その上端は、第１側壁５２Ｂよりも若干上方に位置している（図３参照）。この柱部５６には、後ほど詳しく説明する第１高位置接続部７２が設けられている。
【００３１】
背後壁５２Ａの後方には、補強部５７が設けられている。補強部５７は、ケース固定部５１から上方に突出する壁状をなし、ケース固定部５１の後縁に沿うものと、ケース固定部５１の後縁と背後壁５２Ａとの間を連結するものとがある。
【００３２】
第２シールドシェル６０はアルミダイキャスト製であって、電源側コネクタ４０および機器側コネクタ２０を覆う本体部６１と、ケース固定部５１に重なって配置される一対の脚部６２とを有している。
第２シールドシェル６０は、コネクタ装置１０に組み付けられるまでは電源側コネクタ４０に装着され、コネクタ装置１０に組み付ける際、機器側コネクタ２０側にスライドされるようになっている。
【００３３】
第２シールドシェル６０の本体部６１は、機器側コネクタハウジング２１および電源側コネクタハウジング４１の上側（ケース１１とは反対側）に被さる天井壁６１Ａと、両側面に被さる垂下壁６１Ｂ，６１Ｃと、電源側コネクタハウジング４１の下面に被さる下壁６１Ｄとからなる略筒状をなしている。第２シールドシェル６０の本体部６１を正面から見ると、横長の略長方形状をなしている（図８参照）。
【００３４】
本体部６１の後端部は、３本の電線１３を一括して包囲する編組線からなるシールド部材１６の端末部が固着される固着部６３とされている。シールド部材１６は、電線１３とともにワイヤハーネス１４を構成するものであり、カシメリング１７によって固着部６３に導通可能に固着されている。
【００３５】
天井壁６１Ａは平面視略方形をなし、電源側コネクタ４０の略前半部分から機器側コネクタ２０のコネクタ嵌合部２２までを覆っている。第２シールドシェル６０を組み付けた状態では、天井壁６１Ａの先端部（固着部６３とは反対側の端部）は、第１シールドシェル５０の背後壁５２Ａの上方に達するようになっている。
【００３６】
一対の垂下壁６１Ｂ，６１Ｃのうち一方（図７では右側）の第１垂下壁６１Ｂは、天井壁６１Ａの略後半部分に設けられ、第１シールドシェル５０の第１側壁５２Ｂとは前後方向にずれて配される。第１側壁５２Ｂを側方から見ると、天井壁６１Ａからの垂下寸法が前後にわたりほぼ一定の略方形をなしている（図９参照）。なお、第１垂下壁６１Ｂの前方には、後ほど詳しく説明する第２高位置接続部７４が設けられている。
【００３７】
一対の垂下壁６１Ｂ，６１Ｃのうち他方（図７では左側）の第２垂下壁６１Ｃは、前後方向の幅寸法が、天井壁６１Ａの前後方向の略全体にわたる寸法とされている。第２垂下壁６１Ｃの略前半部分（第２シールドシェル６０の第２側壁５２Ｃと対向する部分）は、側方から見ると、天井壁６１Ａからの垂下寸法が前方へ向かって少しずつ小さくなる略三角形状をなしている。
【００３８】
一対の脚部６２は、本体部６１から両側方に張り出して設けられている。両脚部６２は、本体部６１の後端位置において板面が第１側壁５２Ｂおよび第２側壁５２Ｃに対して略垂直をなすように張り出すとともに、その下端縁から前方へ屈曲された形状をなしている。両脚部６２のうち一方の脚部（第１垂下壁６１Ｂ側の脚部であって第１脚部６２Ａと称する）は、他方の脚部（第２垂下壁６１Ｃ側の脚部であって第２脚部６２Ｂと称する）よりも本体部６１からの張り出し寸法が大きくされている。詳しくは、第２脚部６２Ｂの本体部６１からの張り出し寸法は、第１脚部６２Ａの本体部６１からの張り出し寸法の約２倍の寸法とされている。両脚部６２Ａ，６２Ｂのうち下端において屈曲された部分は、ケース固定部５１の上面に重なって配置され、ケース１１のネジ孔および第１シールドシェル５０の固定孔５５に重なる位置に配される。この屈曲部分は、後ほど詳しく説明する第２低位置接続部７３とされている。
【００３９】
機器側コネクタ２０と電源側コネクタ４０とが嵌合するとともに、第１シールドシェル５０と第２シールドシェル６０とが接続された状態（コネクタ装置１０の組み付け状態）においては、機器側コネクタ２０のフランジ部２３およびコネクタ嵌合部２２と電源側コネクタ４０とが、第１シールドシェル５０と第２シールドシェル６０とにより覆われた状態になる。
【００４０】
さて、第１シールドシェル５０と第２シールドシェル６０とは、３箇所に設けられた接続部により接続されている。３箇所に設けられた接続部のうち１箇所は、ケース１１の外面に近接した位置に配される低位置接続部、２箇所は、それよりも上方に位置する高位置接続部とされている。
【００４１】
第１シールドシェル５０の接続部は、ケース固定部５１に設けられた一対の第１低位置接続部７１と、壁部５２の立ち上がり端に設けられた第１高位置接続部７２とを有している。なお、第１低位置接続部７１は低位置接続部を構成し、第１高位置接続部７２は高位置接続部を構成する。
【００４２】
第１低位置接続部７１は、ケース固定部５１の前側の両角部に設けられている。一対の第１低位置接続部７１は、前後方向においてはほぼ同位置に配置され、ともに壁部５２よりも前方に位置している。また、両第１低位置接続部７１のうち第１側壁５２Ｂ側に位置する第１低位置接続部７１は、第２側壁５２Ｃ側に位置する第２低位置接続部７３よりも、壁部５２から側方に離れた位置に設けられている。
【００４３】
第１高位置接続部７２は、第１側壁５２Ｂの柱部５６の上端部に設けられている。第１高位置接続部７２は、第１低位置接続部７１よりも後方であって、第１シールドシェル５０の前後方向の中間部に位置している。また、第１高位置接続部７２は、第１低位置接続部７１よりも上方に位置している。
【００４４】
第２シールドシェル６０の接続部は、各脚部６２に設けられた第２低位置接続部７３と、天井壁６１Ａから側方に張り出して設けられた第２高位置接続部７４とを有している。なお、第２低位置接続部７３は低位置接続部を構成し、第２高位置接続部７４は高位置接続部を構成する。
【００４５】
第２低位置接続部７３は、各脚部６２の下端部（ケース固定部５１に重なって配置される部分）に設けられ、ともに天井壁６１Ａの後端部に位置している。第２低位置接続部７３は、それぞれ脚部６２Ａ，６２Ｂの張り出し端に設けられ、第１脚部６２Ａに設けられた第２低位置接続部７３が、第２脚部６２Ｂに設けられた第２低位置接続部７３よりも本体部６１から離れて位置している。なお、一対の第２低位置接続部７３の上下方向の位置はほぼ等しくされている。
【００４６】
第２高位置接続部７４は、天井壁６１Ａの左右方向（機器側コネクタ２０と電源側コネクタ４０との嵌合方向と直交方向）の両側縁のうち第１垂下壁６１Ｂ側の縁から側方に突出して設けられている。第２高位置接続部７４は、天井壁６１Ａの前端部（第１垂下壁６１Ｂよりも前方の部分）に設けられ、第１高位置接続部７２に重なって配置される。
【００４７】
こうして、第１シールドシェル５０および第２シールドシェル６０の接続部は、前後方向（電源側コネクタ４０と機器側コネクタ２０との嵌合方向）および左右方向（嵌合方向と直交方向）にずれた位置に配置されている。
そして、第１シールドシェル５０の接続部（第１低位置接続部７１および第１高位置接続部７２）と第２シールドシェル６０の接続部（第２低位置接続部７３および第２高位置接続部７４）とは、それぞれボルト締め可能なボルト孔７５を有している。なお、第１低位置接続部７１のボルト孔７５は、ケース固定部５１の固定孔５５を兼ねるものである。
【００４８】
第１低位置接続部７１のボルト孔７５および第２低位置接続部７３のボルト孔７５、第１高位置接続部７２のボルト孔７５および第２高位置接続部７４のボルト孔７５は、それぞれ上下方向に略同軸上に重なって配置される。
【００４９】
次に、コネクタ装置１０の組み付け作業の一例について説明する。
まず、ケース１１に機器側コネクタ２０および第１シールドシェル５０を取り付ける。機器側コネクタハウジング２１の機器側突出部２４を取付孔１８からケース１１内に挿入し、フランジ部２３をケース１１の外面に沿わせた状態にする。また、第１シールドシェル５０をフランジ部２３に被せた状態にする。
【００５０】
次いで、第２シールドシェル６０を電源側コネクタハウジング４１の後方にずらした状態にして、電源側コネクタ４０を機器側コネクタ２０に嵌合させる。そして、上下に重なっている機器側端子２８のボルト挿通孔２８Ａと電源側端子４２のボルト挿通孔４２Ａに、作業孔２９からボルトＶを差し込んで電源側ナット２６Ａに締め付けて固定し、作業孔２９にキャップ３１を被せる。また、第１シールドシェル５０の固定孔５５のうち第１低位置接続部７１に設けられたものを除く固定孔５５に、それぞれ図示しないネジを挿通してケース１１のネジ孔に締め付ける。
【００５１】
その後、第２シールドシェル６０を前方にスライドさせ、本体部６１が機器側コネクタ２０のコネクタ嵌合部２２を覆い、また、第２低位置接続部７３が第１低位置接続部７１の真上に、第２高位置接続部７４が第１高位置接続部７２の真上にそれぞれ配置されるようにする。そして、上下に連なっている第２低位置接続部７３および第１低位置接続部７１のボルト孔７５にボルト（図示せず）を挿入し、ケース１１のネジ孔に締め付けて固定する。また、同じく上下に連なっている第２高位置接続部７４および第１高位置接続部７２のボルト孔７５に、ボルト（図示せず）を挿入して締め付けて固定する。
こうして、第１シールドシェル５０、第２シールドシェル６０およびケース１１が導通可能に接続された状態になり、コネクタ装置１０の組み付け作業が完了する。
【００５２】
次に、上記のように構成された本実施形態の作用および効果について説明する。
本実施形態のコネクタ装置１０は、第１シールドシェル５０と第２シールドシェル６０とを接続する接続部を３箇所に設けるとともに、これら接続部を、前後方向および左右方向にずれた位置に配置している。このように、第１シールドシェル５０および第２シールドシェル６０の接続部が３箇所にあるから、従来のように第１シールドシェルと第２シールドシェルとの接続箇所が２箇所のみである場合に比べて接続箇所数が増え、また、３つの接続部が前後方向および左右方向にずれた位置に設けられているから、第１シールドシェル５０と第２シールドシェル６０との接続位置のバランスがよく、このためシールド性能を向上することができる。
【００５３】
また、第１シールドシェル５０の接続部（第１低位置接続部７１および第１高位置接続部７２）と第２シールドシェル６０の接続部（第２低位置接続部７３および第２高位置接続部７４）とは、ボルト締め可能なボルト孔７５を有している。これにより、第１シールドシェル５０および第２シールドシェル６０の接続部をボルト締めにより強固に固定することができるから、第１シールドシェル５０と第２シールドシェル６０との接触状態を確実に保持することができる。
【００５４】
＜他の実施形態＞
本発明は上記記述及び図面によって説明した実施形態に限定されるものではなく、例えば次のような実施形態も本発明の技術的範囲に含まれる。
【００５５】
（１）上記実施形態では、第１シールドシェル５０および第２シールドシェル６０の接続部は３箇所に設けられているが、これに限らず、例えば４箇所以上に設けてもよい。
（２）上記実施形態では、第１高位置接続部７２および第２高位置接続部７４を、コネクタ嵌合部２２の側方に設けているが、これに限らず、例えばコネクタ嵌合部の後方に設けても良い。
【００５６】
（３）上記実施形態では、第１シールドシェル５０および第２シールドシェル６０の接続部は、ケース１１の外面に近接した位置に配される低位置接続部と、それよりも上方に位置する高位置接続部とされているが、これに限らず、第１シールドシェルおよび第２シールドシェルの接続部を、低位置接続部のみ、または高位置接続部のみとしてもよい。
【図面の簡単な説明】
【００５７】
【図１】本実施形態にかかるコネクタ装置の組み付け状態を表す断面図
【図２】コネクタ装置の上面図
【図３】第１シールドシェルを装着した機器側コネクタの正面図
【図４】同上面図
【図５】同下面図
【図６】同側面図
【図７】第２シールドシェルの上面図
【図８】同正面図
【図９】同側面図
【符号の説明】
【００５８】
１０…コネクタ装置
１１…ケース
２０…機器側コネクタ（コネクタ）
２２…コネクタ嵌合部
４０…電源側コネクタ（相手側コネクタ）
５０…第１シールドシェル
５１…ケース固定部
５２…壁部
６０…第２シールドシェル
６１…本体部
６２…脚部
７１…第１低位置接続部
７２…第１高位置接続部
７３…第２低位置接続部
７４…第２高位置接続部
７５…ボルト孔
【図１】
2010198779.tif 000003
【図２】
2010198779.tif 000004
【図３】
2010198779.tif 000005
【図４】
2010198779.tif 000006
【図５】
2010198779.tif 000007
【図６】
2010198779.tif 000008
【図７】
2010198779.tif 000009
【図８】
2010198779.tif 000010
【図９】
2010198779.tif 000011